(57)【要約】【課題】デザイン性を損なわず、ある程度の大きさを有する立体的な物を収納することができる大便器を提供する。【解決手段】大便器は、便鉢部２０と、この便鉢部２０の下部に連通した便器排水路３０と、便鉢部２０の上端縁から下方に延びて便鉢部２０の前方から便鉢部２０の左右方向に湾曲しながら拡がった側壁部４０とを有し、一体に形成された便器本体１０を備えている。この便器本体１０は、設置された状態において、横方向から内側に向けて凹んだ収納部８０を有している。【選択図】図１
2019190187.tif 000002
【特許請求の範囲】
【請求項１】
便鉢部と、この便鉢部の下部に連通した便器排水路と、前記便鉢部の上端縁から下方に延びて前記便鉢部の前方から前記便鉢部の左右方向に湾曲しながら拡がった側壁部とを有し、一体に形成された便器本体を備えており、
この便器本体は、設置された状態において、横方向から内側に向けて凹んだ収納部を有していることを特徴とする大便器。
【請求項２】
前記便器本体は、
前記便鉢部の上端縁に連続して前記便鉢部よりも後方に拡がった上面部と、
設置された状態において、設置面に当接し下端部を構成する台座部と、
を有しており、
前記収納部は前記上面部と台座部との間に設けられていることを特徴とする請求項１に記載の大便器。
【請求項３】
前記収納部の下面は、水平に広がり、収納された物品を載置する載置面であることを特徴とする請求項１又は２に記載の大便器。
【請求項４】
前記便器本体に着脱自在に取り付けられ、前記収納部を覆うカバーを備えていることを特徴とする請求項１乃至３のいずれか１項に記載の大便器。
【請求項５】
前記カバーは前記側壁部に連続するように前記便器本体に取り付けられることを特徴とする請求項４に記載の大便器。
【発明の詳細な説明】
【技術分野】
【０００１】
本発明は大便器に関するものである。
【背景技術】
【０００２】
特許文献１は従来の大便器を示している。この大便器は、便器本体と、サイドカバーとを備えている。便器本体は、便鉢部、内蔵機器、及び側壁部を有している。内蔵機器は便鉢部より後方に配置されている。側壁部は便鉢部の上端縁から下方に延びて便鉢部の前方から便鉢部の左右方向に湾曲しながら拡がっている。サイドカバーは、便器本体の左右後方において内蔵機器が露出した部分を覆い隠すように側壁部の後端縁に連続して、着脱自在に取り付けられている。サイドカバーは内側面に内蔵機器の使用情報が記載された情報シートを保持している。このように、この大便器は、情報シートを収納することができる。
【０００３】
特許文献２は別の従来の大便器を示している。この大便器は、便器本体と、一対のサイドカバーと、洗剤タンクと、タンクカバーとを備えている。便器本体は、便鉢部、本体機構部、及び側壁部を有している。本体機構部は便鉢部より後方に配置されている。側壁部は便鉢部の上端縁から下方に延びて便鉢部の前方から便鉢部の左右方向に湾曲しながら拡がっている。一対のサイドカバーの夫々は、側壁部の左右後端縁に連続して、便器本体の左右の後部側方に取り付けられ、本体機構部を覆い隠している。一方のサイドカバーは上部に開口が形成されている。洗浄タンクは、一部がサイドカバーの開口を通してサイドカバーよりも外側に突出した状態で、本体機構部に着脱自在に保持されている。この洗浄タンクは本体機構部を介して便鉢部へ供給する洗剤を貯留している。タンクカバーは、サイドカバーの開口の下端縁に沿って水平方向に延びた軸周りに回動自在に取り付けられている。このタンクカバーは、サイドカバーの開口から外側に突出した洗浄タンクを覆いつつ、サイドカバーの開口を閉じることができる。このように、この大便器は洗浄タンクを収納することができる。
【先行技術文献】
【特許文献】
【０００４】
【特許文献１】特開２０１３−１５９９１０号公報
【特許文献２】特開２０１６−８９３９２号公報
【発明の概要】
【発明が解決しようとする課題】
【０００５】
しかし、特許文献１の大便器は、情報シートのようにシート状の薄い形態のものしか収納することができない。また、特許文献２の大便器は、洗浄タンクのように立体的な物を収納することができるが、タンクカバーがサイドカバーから突出するため、デザイン性が良くない。また、この大便器は、サイドカバーから突出したタンクカバーの上面にほこりが溜まったり、掃除がし難かったりする。
【０００６】
本発明は、上記従来の実情に鑑みてなされたものであって、デザイン性を損なわず、ある程度の大きさを有する立体的な物を収納することができる大便器を提供することを解決すべき課題としている。
【課題を解決するための手段】
【０００７】
本発明の大便器は、便鉢部と、この便鉢部の下部に連通した便器排水路と、前記便鉢部の上端縁から下方に延びて前記便鉢部の前方から前記便鉢部の左右方向に湾曲しながら拡がった側壁部とを有し、一体に形成された便器本体を備えており、
この便器本体は、設置された状態において、横方向から内側に向けて凹んだ収納部を有していることを特徴とする。
【０００８】
この大便器は、便鉢部や便器排水路等の洗浄水が貯留されたり、洗浄水が流通したりする部分以外の空間を利用して、便器本体の横方向から内側に向けて凹んだ収納部を形成することができる。このように形成された収納部はある程度の容積を有し、収納する物品がある程度の大きさを有した立体的な物であっても便器本体の側方から突出させずに収納することができる。
【０００９】
したがって、本発明の大便器は、デザイン性を損なわず、ある程度の大きさを有する立体的な物を収納することができる。
【図面の簡単な説明】
【００１０】
【図１】実施例１の大便器を示す側面図である。
【図２】実施例１の便器本体を示す側面図である。
【図３】図１の矢視Ｘ−Ｘ断面図である。
【図４】実施例１のカバーを示す背面図である。
【図５】実施例２の要部断面図である。
【図６】実施例３の要部断面図である。
【図７】実施例４の要部断面図である。
【図８】実施例５の要部断面図である。
【発明を実施するための形態】
【００１１】
本発明における好ましい実施の形態を説明する。
【００１２】
本発明の大便器において、便器本体は、前記便鉢部の上端縁に連続して前記便鉢部よりも後方に拡がった上面部と、設置された状態において、設置面に当接し下端部を構成する台座部と、を有しており、前記収納部は前記上面部と台座部との間に設けられ得る。この場合、この大便器は、収納部に収納された物品が大便器を設置した設置面よりも高い位置に配置され、大便器周りの設置面の掃除が容易になるとともに、収納部に収納された物品を汚れ難くすることができる。また、この大便器は上面部によって収納部に収納された物品を上方から視認し難くすることができる。
【００１３】
本発明の大便器において、収納部の下面は、水平に広がり、収納された物品を載置する載置面であり得る。この場合、この大便器は、収納部の下面である載置面に物品を載置することができるため、収納部に物品を容易に収納することができる。なお、ここで言う「水平」とは厳密に水平である必要がなく、載置面に載置された物品が滑り落ちない程度の傾斜も含む。
【００１４】
本発明の大便器は、前記便器本体に着脱自在に取り付けられ、前記収納部を覆うカバーを備え得る。この場合、この大便器は、収納部内に収納された物品が外側から視認されず、見栄えを良くすることができる。また、この大便器は収納部内にほこりが溜まり難くすることができる。
【００１５】
本発明の大便器において、前記カバーは前記側壁部に連続するように前記便器本体に取り付けられ得る。この場合、この大便器は見栄えをすっきりとしたものにすることができる。
【００１６】
次に、本発明の大便器を具体化した実施例１〜５について、図面を参照しつつ説明する。
【００１７】
＜実施例１＞
実施例１の大便器は、図１〜図４に示すように、便器本体１０と一対のカバー９０とを備えている。便器本体１０は、便鉢部２０、便器排水路３０、側壁部４０、上面部５０、台座部６０、後側壁部７０、及び収納部８０を有している。また、便器本体１０は、陶器製であり、一体に形成されている。つまり、便器本体１０は全周が陶器で覆われている。便鉢部２０は、図２に示すように、便鉢本体２１とリム部２３とを具備している。便鉢本体２１は、便器本体１０が設置面である床面Ｆに設置された際の上方から見た平面視において、上端開口が略楕円形状である。また、便鉢本体２１は便器排水路３０の上流端が連通する連通口２５を下端部の後側に形成している。リム部２３は、便鉢本体２１の上端周縁から略一定の幅を有し、便器本体１０が床面Ｆに設置された際に水平方向に拡がる環状である。なお、上下は便器本体１０が床面Ｆに設置された際の上下である（以下同じ）。
【００１８】
便器排水路３０は、図２に示すように、第１下降流路３１、上昇流路３３、第２下降流路３５、及び上部空間３７を具備している。第１下降流路３１は便鉢部２０の下端部から後方に向けて斜め下方に傾斜して延びている。上昇流路３３は、第１下降流路３１の下流端に上流端が連通し、便器本体１０の後方に向けて斜め上方に傾斜して延びている。第２下降流路３５は、上昇流路３３の下流端に上流端が連通し、略鉛直方向に延びている。上部空間３７は、上昇流路３３の下流端部及び第２下降流路３５の上流端部に連通し、後述する上面部５０より下方に形成されている。第２下降流路３５は、便器本体１０を設置する際、床面Ｆに引き出された排水管（図示せず）に連結された排水接続管３９の上流端開口に下流端部が挿入される。なお、前後は、便器本体１０が設置された状態において、便鉢部２０が形成されている側（図１において右側）が前であり、便器洗浄タンク３が載置される側（図１において左側）が後である（以下同じ）。
【００１９】
側壁部４０は、図１及び図２に示すように、便鉢部２０のリム部２３の外周縁から下方に延びて下端が後述する台座部６０に連続している。この側壁部４０は便鉢部２０の前方から便鉢部２０の左右方向に湾曲しながら拡がっている。また、この側壁部４０は、便器本体１０の左右側面視において、後端縁４１が便鉢本体２１の連通口２５の後端よりも僅かに前側で略鉛直方向に延びている（図２参照）。このように、側壁部４０は、便鉢本体２１の後端部側を除く大半と、第１下降流路３１の一部を覆うように、便器本体１０の前端から左右両側に拡がっている。
【００２０】
上面部５０は、便鉢部２０の上端縁（リム部２３）に連続して、便鉢部２０よりも後方に拡がっている。上面部５０は、便鉢部２０よりも後方において左右縁が平行に前後方向に延びている。上面部５０は、図１に示すように、本体ケース１Ａと、本体ケース１Ａに回動自在に軸支された便座１Ｂ、便蓋１Ｃを具備した便座装置１及び便器洗浄タンク３がその上側に取り付けられる。また、上面部５０は、図３に示すように、左右側面５１が下方に向かって内側に傾斜している。この左右側面５１の夫々は、図２に示すように、前後方向に間隔を空けて２個の面ファスナーＭ１が貼付されている。各面ファスナーＭ１は、便器本体１０の側面視において、四角形状である。各面ファスナーＭ１は、後述するカバー９０を着脱自在に取り付けるために、カバー９０の上端縁に沿って設けられた２個の面ファスナーＭ３に対応する位置に貼付されている。
【００２１】
台座部６０は、図１〜図３に示すように、上下方向に一定の幅を有し、便器本体１０の下端部の外周を構成している。台座部６０は下端縁から上方に向けてわずかに外側に拡がるように傾斜している。台座部６０は、設置された状態において、床面Ｆに下端縁が当接する。台座部６０は前側の上端縁が側壁部４０の下端縁に連続している。また、台座部６０は後側の上端縁が後述する後側壁部７０の下端縁に連続している。
【００２２】
後側壁部７０は、図１〜図３に示すように、側壁部４０より後方において、台座部６０の上端縁に下端縁が連続して、上方向に延びて便器本体１０の外殻を形成している。後壁部は第１〜第４壁部７１，７３，７５，７７を具備している。第１壁部７１は、便器本体１０の左右両側において、台座部６０の上端縁から略垂直方向に延びている。第１壁部７１は前後方向に間隔を空けて２個の面ファスナーＭ２が貼付されている。各面ファスナーＭ２は、後述するカバー９０を着脱自在に取り付けるために、カバー９０の下端縁に沿って設けられた２個の面ファスナーＭ４に対応する位置に貼付されている。第２壁部７３は、図２及び図３に示すように、第１壁部７１の前側の上端縁に連続して内側に向けて僅かに上方に傾斜し、第１下降流路３１及び上昇流路３３の中間部付近の外側面に連続している。第３壁部７５は、第１壁部７１の後側の上端縁に連続して内側に向けて上方に傾斜し、第２下降流路３５の上端部付近の外側面に連続している。第４壁部７７は、図１及び図２に示すように、便器本体１０の後部において、台座部６０の上端縁から略垂直方向に上方へ延び、上部空間３７の後側壁部７０に連続している。第１壁部７１及び第３壁部７５は、後述するカバー９０が便器本体１０に取り付けられた状態において、カバー９０の後端縁９７よりも後方に拡がって露出した部分を有している。第４壁部７７は、第１壁部７１及び第３壁部７５の後端縁に連続している。
【００２３】
収納部８０は、図１〜図３に示すように、側壁部４０の後端縁より後方であって後側壁部７０の第３壁部７５よりも前方に設けられ、且つ上面部５０よりも下方であって後側壁部７０の第２壁部７３よりも上方に設けられている。つまり、第３壁部７５の前方を向いた面が収納部８０である凹部を構成している。また、この収納部８０は、図３に示すように、便器排水路３０の第１下降流路３１と上昇流路３３の一部を挟んで左右両側に設けられている。これら収納部８０は上面部５０と台座部６０との間に横方向から内側に向けて凹んだ空間に設けられている。このように、この収納部８０は、便鉢部２０や便器排水路３０等の洗浄水が貯留されたり、洗浄水が流通したりする部分以外の空間を利用して設けられている。また、この収納部８０は、第２壁部７３の傾斜が僅かであるため、図１及び図３に示すように、第２壁部７３の上にトイレットペーパー等の物品を載置し、収納することができる。つまり、第２壁部７３の上面が収納部８０の下面であり、収納部８０に収納される物品を載置する載置面８０Ａを構成している。
【００２４】
一対のカバー９０は、図１に示すように、便器本体１０の側面視において、便器本体１０に取り付けられた状態で四角形状である。また、各カバー９０は僅かに外方向に湾曲した曲面で形成されている（図３参照）。各カバー９０の上下寸法は、上面部５０の左右側面の上部から便器本体１０の台座部６０の上端までの間隔と同じである。また、各カバー９０の左右寸法は、便器本体１０の側壁部４０の後端縁から後壁部の第１壁部７１の後端部までの間隔と同じである。各カバー９０は、側壁部４０に連続するように、前端縁９１が側壁部４０の後端縁４１に沿って略隙間なく便器本体１０に取り付けられる。また、各カバー９０は下端縁９３が台座部６０の上端縁に沿って伸びるように便器本体１０に取り付けられる。
【００２５】
各カバー９０は面ファスナーＭ３，Ｍ４が先端面に貼付された４個の脚部９９Ａ，９９Ｂが裏面から突出して設けられている。各脚部９９Ａ，９９Ｂは横長四角柱形状である。２個の脚部９９Ａはカバー９０の上端縁９５に沿って前後方向に間隔を空けて設けられている。残りの２個の脚部９９Ｂはカバー９０の下端縁９３に沿って前後方向に間隔を空けて設けられている。各脚部９９Ａ，９９Ｂの先端面は、面ファスナーＭ１，Ｍ２が貼付された便器本体１０の上面部５０及び後側壁部７０の第１壁部７１の傾斜角度に合わせて傾斜している。各カバー９０は、４個の脚部９９Ａ，９９Ｂの夫々の先端面に貼付された面ファスナーＭ３，Ｍ４と、対応する便器本体１０の上面部５０及び後側壁部７０の第１壁部７１に貼付された４個の面ファスナーＭ１，Ｍ２とを当接させることによって、着脱自在に便器本体１０に取り付けられる。
【００２６】
このような構成を有する大便器は、図１及び図３に示すように、デザイン性を損なわず、収納部８０にトイレットペーパーＺ等のある程度の大きさを有する立体的な物を便器本体１０の側方から突出させずに収納することができる。
【００２７】
また、この大便器は、収納部８０に収納されたトイレットペーパーＺ等が大便器を設置した床面Ｆよりも高い位置に配置され、大便器周りの床面Ｆの掃除が容易になるとともに、収納部８０に収納されたトイレットペーパーＺ等を汚れ難くすることができる。また、この大便器は上面部５０によって収納部８０に収納されたトイレットペーパーＺ等を上方から視認し難くすることができる。
【００２８】
また、この大便器は、便器本体１０に着脱自在に取り付けられるカバー９０によって、この大便器は収納部８０内に収納されたトイレットペーパーＺ等が外側から視認されず、見栄えを良くすることができる。また、この大便器は収納部８０内にほこりが溜まり難くすることができる。
【００２９】
また、この大便器は、カバー９０が側壁部４０に連続するように便器本体１０に取り付けられているため、見栄えをすっきりとしたものにすることができる。
【００３０】
＜実施例２＞
実施例２の大便器は、図５に示すように、トイレットペーパーＺ等が載置される載置面が水平になるように、後側壁部７０の第２壁部７３上にスペーサ１００を配置して収納部８０の下面を構成している点が、実施例１と相違する。他の点は、実施例１と同様であり、同一の構成は同一の符号を付して詳細な説明を省略する。
【００３１】
スペーサ１００は、後側壁部７０の第２壁部７３に配置されて固定された際に、トイレットペーパーＺ等が載置される載置面１００Ａが水平になるように、載置面１００Ａと第２壁部７３に当接する当接面１００Ｂとの間隔（厚さ）が外側から内側に向けて徐々に小さくなっている。
【００３２】
このため、この大便器は、収納部８０に収納されたトイレットペーパーＺ等が外方向に滑り落ちることがなく、安定した姿勢で収納することができる。
【００３３】
＜実施例３＞
実施例３の大便器は、図６に示すように、収納部８０を覆うカバーがなく、収納部８０にトイレットペーパーＺ等を収納する箱体１０１を配置している点が、実施例２と相違する。他の点は、実施例２と同様であり、同一の構成は同一の符号を付して詳細な説明を省略する。
【００３４】
箱体１０１は、直方体形状であり、後側壁部７０の第２壁部７３に配置されて固定されたスペーサ１００上に配置されて固定されている。この箱体１０１は、収納部８０に配置された際、外側に面する部分が開閉自在な蓋部材１０１Ａで形成されている。蓋部材１０１Ａは、箱体１０１の上面の前端縁に沿って配置された軸部１０１Ｂに回動自在に軸支されている。また、この箱体１０１は、トイレットペーパーＺ等を収納することができる容積を有している。
【００３５】
このように、この大便器は、蓋部材１０１Ａを開閉して、収納部８０に配置された箱体１０１内にトイレットペーパーＺ等を収納することができる。また、この大便器は、蓋部材１０１Ａを閉じることによって、箱体１０１内に収納されたトイレットペーパーＺ等を汚れ難くすることができるとともに、視認することができない。また、また、この大便器は、蓋部材１０１Ａを閉じることによって、箱体１０１内にほこりが溜まり難くすることができる。
【００３６】
＜実施例４＞
実施例４の大便器は、図７に示すように、カバー１９０が収納部８０に収納する物品を載置する載置部１９１を具備している点が実施例１と相違する。他の点は、実施例１と同様であり、同一の構成は同一の符号を付して詳細な説明を省略する。
【００３７】
載置部１９１は、一辺がカバーの内面に連続し、カバー１９０が便器本体１０に取り付けられた際に、水平方向に延びる平板状の底面部１９１Ａと、底面部１９１Ａの突出端側の一辺から垂直方向に上方に延びた平板状の壁面部１９１Ｂとから構成されている。載置部１９１は、カバー１９０を便器本体１０に取り付けると、収納部８０内に収納され、トイレットペーパーＺ等を底面部１９１Ａ上に載置することができる大きさに形成されている。
【００３８】
この大便器は、カバー１９０を便器本体１０に取り付けると、載置部１９１に収納されたトイレットペーパーＺ等も載置部１９１と一緒に収納部８０内に収納することができる。また、この大便器は、カバー１９０を便器本体１０から取り外すと、載置部１９１に収納されたトイレットペーパーＺ等も載置部１９１と一緒に収納部８０から取り出すことができる。このように、この大便器は、トイレットペーパーＺ等を収納部８０に容易に収納したり、取り出したりすることができる。
【００３９】
＜実施例５＞
実施例５の大便器は、図８に示すように、カバー２９０がトイレットペーパーＺの中央に貫通した貫通孔を挿通し、トイレットペーパーＺを係止する棒状の係止部材２９１を具備している点が実施例１と相違する。他の点は、実施例１と同様であり、同一の構成は同一の符号を付して詳細な説明を省略する。
【００４０】
係止部材２９１は、一端部がカバー２９０の内面に連続し、カバー２９０が便器本体１０に取り付けられた際、水平方向に延びるように形成されている。この大便器は、トイレットペーパーＺの中央に貫通した貫通孔に係止部材２９１を挿通して係止部材２９１にトイレットペーパーＺが係止された状態で、カバー２９０を便器本体１０の取り付けると、係止部材２９１に係止されたトイレットペーパーＺを収納部８０に収納することができる。また、この大便器は、カバー２９０を便器本体１０から取り外すと、係止部材２９１に係止されたトイレットペーパーＺを収納部８０から取り出すことができる。このように、この大便器は、トイレットペーパーＺを収納部８０に容易に収納したり、取り出したりすることができる。
【００４１】
以上説明したように、実施例１〜５の大便器は、便鉢部２０と、便鉢部２０の下部に連通した便器排水路３０と、便鉢部２０の上端縁から下方に延びて便鉢部２０の前方から便鉢部２０の左右方向に湾曲しながら拡がった側壁部４０とを有し、一体に形成された便器本体１０を備えており、便器本体１０は、設置された状態において、横方向から内側に向けて凹んだ収納部８０を有している。
【００４２】
この大便器は、便鉢部２０や便器排水路３０等の洗浄水が貯留されたり、洗浄水が流通したりする部分以外の空間を利用して、便器本体１０の横方向から内側に向けて凹んだ収納部８０を形成することができる。このように形成された収納部８０はある程度の容積を有し、収納する物品がある程度の大きさを有した立体的な物（例えば、トイレットペーパーＺ）であっても便器本体１０の側方から突出させずに収納することができる。
【００４３】
したがって、実施例１〜５の大便器は、デザイン性を損なわず、トイレットペーパーＺ等のある程度の大きさを有する立体的な物を収納することができる。
【００４４】
また、実施例１〜５の大便器の便器本体１０は、便鉢部２０の上端縁に連続して便鉢部２０よりも後方に拡がった上面部５０と、設置された状態において、床面Ｆに当接し下端部を構成する台座部６０とを有しており、収納部８０は上面部５０と台座部６０との間に設けられている。このため、この大便器は、収納部８０に収納されたトイレットペーパーＺ等の物品が大便器を設置した床面Ｆよりも高い位置に配置され、大便器周りの床面Ｆの掃除が容易になるとともに、収納部８０に収納されたトイレットペーパーＺ等の物品を汚れ難くすることができる。また、この大便器は上面部５０によって収納部８０に収納されたトイレットペーパーＺ等の物品を上方から視認し難くすることができる。
【００４５】
また、実施例１及び２の大便器において、収納部８０の下面は、水平に広がり、収納されたトイレットペーパーＺを載置する載置面８０Ａ，１００Ａである。このように、この大便器は、収納部８０の下面である載置面８０Ａ，１００ＡにトイレットペーパーＺを載置することができるため、収納部８０にトイレットペーパーを容易に収納することができる。
【００４６】
また、実施例１，２，４，５の大便器は、便器本体１０に着脱自在に取り付けられ、収納部８０を覆うカバー９０，１９０，２９０を備えている。このため、この大便器は、収納部８０内に収納されたトイレットペーパーＺ等の物品が外側から視認されず、見栄えを良くすることができる。また、この大便器は収納部８０内にほこりが溜まり難くすることができる。
【００４７】
また、実施例１，２，４，５の大便器において、カバー９０，１９０，２９０は側壁部４０に連続するように便器本体１０に取り付けられる。このため、この大便器は見栄えをすっきりとしたものにすることができる。
【００４８】
本発明は上記記述及び図面によって説明した実施例１〜５に限定されるものではなく、例えば次のような実施例も本発明の技術的範囲に含まれる。
（１）実施例１〜５では、上面部と後側壁部の第２壁部との間に収納部が設けられたが、収納部は上面部と台座部との間に設けられればよい。
（２）実施例１及び２では、便器本体に着脱自在なカバーを備えていたが、カバーを備えなくてもよい。
（３）実施例１，２，４，５では、カバーが側壁部に連続するように取り付けられたが、カバーと側壁部との間に意匠性を異ならせる等を目的とした中間物を挟み込んでもよい。
（４）実施例１〜５では、収納部にトイレットペーパーを収納したが、便器掃除用の洗剤等のトイレで利用するものを収納してもよい。
（５）実施例１，２，４，５では、面ファスナーを利用してカバーを便器本体に着脱自在にしたが、磁力等の他の手段を利用してカバーを便器本体に着脱自在にしてもよい。
（６）実施例１〜５は、上面部に便器洗浄タンクを取り付ける便器本体であったが、給水源から洗浄水を直接的に便鉢部等に給水し洗浄タンクを備えない便器本体であってもよい。
【符号の説明】
【００４９】
１０…便器本体
２０…便鉢部
３０…便器排水路
４０…側壁部
５０…上面部
６０…台座部
８０…収納部
８０Ａ，１００Ａ…載置面
９０…カバー
Ｆ…床面（設置面）
【図１】
2019190187.tif 000003
【図２】
2019190187.tif 000004
【図３】
2019190187.tif 000005
【図４】
2019190187.tif 000006
【図５】
2019190187.tif 000007
【図６】
2019190187.tif 000008
【図７】
2019190187.tif 000009
【図８】
2019190187.tif 000010